(57)【要約】  時分割（ＴＤＤ）無線プロトコル通信システムに使用される周波数変換中継器は、複数の局部発振器（ＬＯ）回路（２１０、３１０、４１０）を備えており、それによって、アイソレーション、フェーズノイズ低減、引き込み低減等を実現することで中継を容易化している。アイソレーションを増加させ、フェーズノイズを低減し、周波数精度に求められる要件を緩やかにし、引き込みの可能性を低減するために、チューニング可能な局部発信機（４４１、４４２）をダウンコンバータ（４１３、４１４）およびアップコンバータ（４２６，４２７）と直接的に接続することができる。
2008505513.tif 000002
【特許請求の範囲】
【請求項１】
無線プロトコルに従って動作する周波数変換中継器において、第１周波数チャネルで第１ステーションから送信された信号を第２周波数チャネルで第２ステーションへ中継することを容易にするための局部発振器回路であって、
前記第１周波数チャネルの周波数より低い第１周波数範囲においてチューニング可能な、前記第１周波数チャネルに対応する第１チューニング可能局部発振器と、
前記第２周波数チャネルの周波数より高く且つ前記第１周波数範囲とは異なる第２周波数範囲においてチューニング可能な、前記第２周波数チャネルに対応する第２チューニング可能局部発振器と、
前記第１チューニング可能局部発振器に接続された第１ダウンコンバートミキサーを用いて、前記第１周波数チャネルの前記信号を、第１中間周波数を有する第１中間信号へダウンコンバートすると共に、前記第２チューニング可能局部発振器に接続された第２ダウンコンバートミキサーを用いて、前記第２周波数チャネルの前記信号を、第２中間周波数を有する第２中間信号へダウンコンバートするための第１ダウンコンバート回路と、を備えたことを特徴とする局部発振器回路。
【請求項２】
前記第１中間周波数より高い周波数を用いて前記第１中間信号をダウンコンバートすることで、前記第１中間信号を前記第２中間周波数において生成し、且つ、前記第２中間周波数より高い周波数を用いて前記第２中間信号をダウンコンバートすることで、前記第２中間信号を前記第１中間周波数において生成する第２ダウンコンバート回路と、
前記第１チューニング可能局部発振器に接続された第１アップコンバートミキサーを用いて、前記第２中間周波数における前記第１中間信号をアップコンバートし、且つ、前記第２チューニング可能局部発振器に接続された第２アップコンバートミキサーを用いて、前記第１中間周波数における前記第２中間信号をアップコンバートするアップコンバート回路と、を更に備え、
前記第１ダウンコンバート回路および第２ダウンコンバート回路において生成された１つまたは２つ以上のスペクトルの反転が前記アップコンバート回路において除去されることを特徴とする請求項１に記載の局部発振器回路。
【請求項３】
前記第１チューニング可能局部発振器および前記第２チューニング可能局部発振器は前記アップコンバート回路および前記第１ダウンコンバート回路に直接接続されていることを特徴とする請求項２に記載の局部発振器。
【請求項４】
前記ダウンコンバータおよび固定局部発振器に接続されると共に、前記無線プロトコルに対応する制御信号を復調するように構成されているビーコン複調器回路を更に備えたことを特徴とする請求項１に記載の局部発振器。
請求項１に記載の局部発振器。
【請求項５】
前記無線プロトコルは、時分割二重通信（ＴＤＤ）プロトコルの１つ、８０２．１１ｂプロトコル、８０２．１１ｇプロトコルを含むことを特徴とする請求項１に記載の局部発振器。
【請求項６】
前記第１チューニング可能局部発振器回路、前記第２チューニング可能局部発振器回路、前記第１ダウンコンバータ、前記第２ダウンコンバータ、および前記アップコンバータは、集積回路、アプリケーション・スペシフィック集積回路  （ＡＳＩＣ）、およびハイブリッド集積回路のうち1つを備える集積回路として形成されることを特徴とする請求項１に記載の局部発振器。
【請求項７】
前記集積回路は０．３５μシリコン・ゲルマニウム（ＳｉＧｅ）・バイポーラ・コンプリメンタリー酸化金属半導体（ＢｉＣＭＯＳ）集積回路を含むことを特徴とする請求項６に記載の局部発振器。
【請求項８】
前記第１チューニング可能回路および前記第２チューニング可能回路は同じクロック・リファレンスにロックされていることを特徴とする請求項１に記載の局部発振器。
【請求項９】
無線プロトコルに従って動作する周波数変換中継器において、第１周波数チャネルで第１ステーションから送信された信号を第２周波数チャネルで第２ステーションへ中継することを容易にするための中継器回路であって、
前記第１周波数チャネルおよび第２周波数チャネルの一方の前記信号を受信するように、且つ、前記第１周波数チャネルおよび第２周波数チャネルの他方で、中継用の前記信号を送信するように構成された無線周波数回路と、
前記無線周波数回路に接続された局部発振器回路とを備え、
前記局部発振器回路は、
前記第１周波数チャネルの周波数および第２周波数チャネルの周波数のうち一方の周波数より高い第１周波数範囲においてチューニング可能な、前記第１周波数チャネルに対応する第１チューニング可能局部発振器と、
前記第１周波数チャネルの周波数および第２周波数チャネルの周波数のうち他方の周波数の他方より低い第２周波数範囲においてチューニング可能な、前記第２周波数チャネルに対応する第２チューニング可能局部発振器と、
第１ハイサイドミキサーおよび第１ローサイドミキサーを備えた第１ダウンコンバート回路と、を有し、
前記ハイサイドミキサーは前記第１周波数チャネルおよび第２周波数チャネルの一方に対応し、前記第１ローサイドミキサーは前記第１周波数チャネルおよび第２周波数チャネルの他方に対応し、前記第１ダウンコンバート回路は前記第１周波数チャネルおよび第２周波数チャネルの前記一方から第１中間信号を生成し、前記第１周波数チャネルおよび第２周波数チャネルの前記他方から第２中間信号を生成することを特徴とする中継器回路。
【請求項１０】
前記第１中間信号に対応する第２ハイサイドミキサーおよび前記第２中間信号に対応する第３ハイサイドミキサーを有する第２ダウンコンバート回路と、
第４ハイサイドミキサーおよび第２ローサイドミキサーを有するアップコンバート回路とからなり、
前記第４ハイサイドミキサーは前記第２中間信号に対応し、
前記第２ローサイドミキサーは前記第１中間信号の混合に関連し、
それらによって、補正されたスペクトル反転特性を有する第１出力信号および第２出力信号が生成されることを特徴とする請求項９に記載の中継器回路。
【請求項１１】
前記第１チューニング可能局部発振器は前記第１ハイサイドミキサーおよび前記第４ハイサイドミキサーに直接接続され、前記第２チューニング可能局部発振器は前記第１ローサイドミキサーおよび前記第２ローサイドミキサーに直接接続されていることを特徴とする請求項１０に記載の中継器回路。
【請求項１２】
前記第１チューニング可能局部発振器および前記第２チューニング可能局部発振器は同じリファレンスに基づいて作動することを特徴とする請求項９に記載の中継器回路。
【請求項１３】
前記無線プロトコルが時分割二重通信（ＴＤＤ）プロトコルの１つ、８０２．１１ｂプロトコル、８０２．１１ｇプロトコルを含むことを特徴とする請求項９に記載の中継器回路。
【請求項１４】
前記局部発振器回路は集積回路、アプリケーション・スペシフィック集積回路  （ＡＳＩＣ）、ハイブリッド集積回路の一つを含む集積回路として形成されることを特徴とする請求項９に記載の中継器回路。
【請求項１５】
前記集積回路は０．３５μシリコン・ゲルマニウム（ＳｉＧｅ）・バイポーラ・コンプリメンタリー酸化金属半導体（ＢｉＣＭＯＳ）集積回路であることを特徴とする請求項１４に記載の中継器回路。
【請求項１６】
無線プロトコルに従って動作する周波数変換中継器において、第１周波数チャネルで第１ステーションから送信された信号を第２周波数チャネルで第２ステーションへ中継することを容易にするための非再生型の周波数変換中継器であって、
前記第１周波数チャネルに対応する第１チューニング可能局部発振器および前記第２周波数チャネルに対応する第２チューニング可能局部発振器を有する局部発振器回路と、
第１チューニング可能局部発振器および第２チューニング可能局部発振器に接続され、第１中間信号および第２中間信号を生成するダウンコンバート回路と、
前記第１中間信号から生成された、第１アップコンバート後中間信号に対応する第３ミキサーと、前記第２中間信号から生成された、第２アップコンバート後中間信号に関連した第４ミキサーとを有する第１アップコンバート回路と、を備え、
前記第１チューニング可能局部発振器はダウンコンバート回路に対応する第１ミキサーに接続され、前記第２チューニング可能局部発振器は前記局部発振器回路に対応する第２ミキサーに接続されることを特徴とする周波数変換中継器。
【請求項１７】
第５ミキサーおよび第６ミキサーを有する第２アップコンバート回路を更に備え、前記第５ミキサーは前記第１アップコンバート後中間信号に対応し、前記第６ミキサーは前記第２アップコンバート後中間信号に対応することを特徴とする請求項１６に記載の周波数変換中継器。
【請求項１８】
前記第１チューニング可能局部発振器および前記第２チューニング可能局部発振器は前記ダウンコンバート回路に直接接続されていることを特徴とする請求項１６に記載の周波数変換中継器。
【請求項１９】
固定局部発信機と、
前記ダウンコンバータおよび前記固定局部発振器に接続され、前記無線プロトコルに関連した制御信号を復調するように構成されたビーコン複調器回路と、を更に備えたことを特徴とする請求項１６に記載の周波数変換中継器。
【請求項２０】
前記無線プロトコルが時分割二重通信（ＴＤＤ）プロトコルの１つ、８０２．１１ｂプロトコル、８０２．１１ｇプロトコルを含むことを特徴とする請求項１６に記載の中継器回路。
【発明の詳細な説明】
【技術分野】
【０００１】
本発明は、無線通話路網に関し、特に周波数変換中継器における局部発振器（ＬＯ）の構造に関する。特に、中継器の構成部品の多数またはすべて（局部発振器の回路を含む）が１つの集積回路に実装されるようなシステムにおいてこのような中継器を実現させるとき、考慮を払う必要がある。考慮を払うべき一つの重要な点は、その集積回路における受信チャネルと発信チャネル間のオンチップのアイソレーションの程度である。
【背景技術】
【０００２】
本出願は、２００４年６月３日に出願された米国暫定特許出願Ｎｏ．６０／５７６，２９０、“ネットワーク通信可能範囲を増加させるための中継器を備えた無線ローカルエリアネットワーク“（ＰＣＴ出願番号ＰＣＴ／ＵＳ０３／２８５５８に基づく優先権を主張している）と題した２００５年３月２４日に出願された米国特許出願Ｎｏ．１０／５２９，０３７、および“検出機能を備えた無線ローカルエリアネットワーク“（ＰＣＴ出願番号ＰＣＴ／ＵＳ０３／３５０５０に基づく優先権を主張している）と題した２００５年３月３日に出願された米国特許出願Ｎｏ．  ＴＢＤと関連し、上記の特許出願に基づく優先権を主張するものである。それらの内容は、参照によって本明細書に組み込まれるものとする。
【０００３】
ほとんどの周波数変換中継器システムにおいて、受信信号経路と発信信号経路間のアイソレーションは重要な問題である。特に、信号の入力段階および補助回路への信号の入力段階、例えば、局部発振器への信号の入力段階は、インバンド信号エネルギーの影響を受けやすい。それ故に、所定の入力信号以外の信号エネルギーによって混信あるいは“妨害”のような信号の異常事態が引き起こされる。例えば、もし周波数のダウンコンバートに用いられた局部発振器の信号が周波数アップコンバータの局部発振信号入力へ漏入してしまった場合、受信機において妨害効果をもたらすような信号イメージが送信されてしまう。更に、もし送信路にて周波数のアップコンバートに用いられた局部発振器の信号が受信用の周波数ダウンコンバータへ漏入した場合、その信号は受信周波数帯にダウンコンバートされ、同じく妨害効果をもたらす。
【０００４】
局部発振器回路からの信号エネルギーをクロスカップルするためには、ハイＱタンク回路、すなわち特定の周波数で共鳴するＬＣ回路を用いるのが最も普通の方法である。送信側の局部発振器と受信側の局部発振器の間のアイソレーションには、典型的には８０ｄＢが必要とされる。また、１つの半導体チップにこのようなタンク回路を２つ実装した場合にこれらタンク間で８０ｄＢのアイソレーションを実現することは、実際にはほとんど不可能である。依って、送信通路用の局部発振器回路と受信通路用の局部発振器回路には異なる周波数を使用する必要がある。局部発振信号の段階にまでカップルしてしまう程の信号エネルギーの漏れが発生する第２の経路は、チップ基板を介したものである。上記したように、信号エネルギーの局部発振信号段階への基板を介してのカップリングは、典型的にはタンク回路を介しての接続よりはるかに低いレベルで行われるものの、同じ基板上にある２つの異なる局部発振器回路間での８０ｄＢのアイソレーションはやはり困難である。
【０００５】
広帯域フェーズノイズは信号の他の異常な形態で、これは受信機の鈍感化につながる。雑音指数が例えば８ｄＢであるような典型的なシステムでは、結果として生じるシステムノイズフロア−は−１６６ｄＢｃ／Ｈｚである。依って、もしシステムの局部発振器がノイズフロア−以上である−１５０Ｂｃ／Ｈｚの広帯域フェーズノイズを有する場合、信号がアップコンバータを通過するときに、フェーズノイズはアップコンバートされた信号に付与される。この局部発振器に関連したミキサーの出力が−１０ｄＢｍの場合、パワー増幅器（ＰＡ）へ入力されるフェーズノイズの総計は約−１６０ｄＢｍ／Ｈｚである。パワー増幅器（ＰＡ）は６ｄＢの雑音指数を有する２５ｄＢの利得を有し、ノイズのレベルを約−１３５ｄＢｍ／Ｈｚまで上げる。受信機と送信機のアイソレーションが３０ｄＢである場合、システムの入力において生じる漏洩ノイズは−１６５ｄＢｍ／Ｈｚである。局部発振器の信号とアップコンバートされた信号は可干渉性ではないので、これらの信号は直接加算されない。上記の結果として生じる−１６５ｄＢｍ／Ｈｚの漏洩ノイズは１‐１．５ｄＢの感度の減少となる。依って、局部発振器の周波数オフセットが例えば１０ＭＨｚより大きい場合、局部発振器の広帯域ノイズレベルが−１５０ｄＢｃ／Ｈｚ以上であれば、受信機の鈍感化は１対１の比率で発生する。言いかえれば、ノイズレベルが、例えば、−１４９ｄＢｃ／Ｈｚの場合、システムは２ｄＢだけその感度は減る。同様に、ノイズレベルが、例えば、−１４８ｄＢｃ／Ｈｚの場合、システムは３ｄＢだけその感度は減る。
【０００６】
交換型の局部発振器の機構が有する更なる問題は、引き込み現象である。引き込みは、出力インピーダンスの変化による局部発振器の不安定さに関連するものである。局部発振器の引き込みによって、局部発振器の信号がある周波数に落ち着くまで上記局部発振器の信号と混合される入力信号が乱れてしまう。局部発振器の引き込みの時間の長さは、インピーダンスの変化の量およびループの帯域幅の関数として決まる。ある例では、８０２．１１信号のシナリオでは、８０２．１１信号は、非常に短い（典型的には８μｓとなる）プリアンブルを有するので、少量のプルでも致命的となる。依って、ある例における局部発振器回路では、信号のロックを失わないために、１μｓ以内で局部発振器が落ち着く必要がある。
【０００７】
周波数変換を用いる中継器におけるアイソレーションの例は、上記のように米国特許出願番号Ｎｏ．／５２９，０３７に開示されている。しかし、非常に効果的な作用を確実なものにするために、周波数変換中継器は、信号の存在を迅速に検出しなければならないし、また、効果的に送信を中継するために、発振器などからのエネルギーを含む信号エネルギーからの適切なアイソレーションを実現しつつ中継することで、協調的に作用しなければならない。
【発明の開示】
【０００８】
それ故に、本発明の実施態様においてＷＬＡＮ環境等の無線環境において通信可能範囲を拡張するように構成された周波数変換中継器における局部発振器の構造およびＩＥＥＥ８０２．１１ｂ／ｇに基づいたシステムを含むＴＤＤシステムにおける局部発振器の構造を提供する。上記周波数変換中継器は、信号の検出、アイソレーションを用い、８０２．１１ｂに基づいたＴＤＤシステムにおいて作動することができる。
【発明を実施するための最良の形態】
【０００９】
図１は、一例としての中継器の基本的な構成部品を示す。図１は、典型的な周波数変換中継器の主な構成部品の概略図であり、上記周波数変換中継器は、第一アンテナ１１１および第二アンテナ１１２とを有する無線周波数モジュール１１０を備える。上記無線周波数モジュール１１０は、ライン１１３，１１４，１１５，１１６を介してモデム１２１を有するベースバンドモジュール１２０に双方向に接続されている。ビーコンの回復用および処理用のビーコンモデム等である上記モデム１２１は、復調のためのサンプリングクロックおよび変調のための周波数搬送波を必要とする。種々の例示的実施態様において、両方の周波数チャネルが同時に復調する事が望ましい。依って、許容される中間周波数の数、およびクロックと局部発振器に求められる周波数の数は制限される。種々の実施態様において、表１には、中間周波数およびサンプリングクロックに対する、許容できる一セットの周波数が示されている。変調のための周波数搬送波は表１に示された中間周波数の一つから選択することができる。変調は、上記例示的な中継器において支持されたいかなるチャネルに対しても行う事ができる。
【００１０】
【表１】
2008505513.tif 000003
【００１１】
上記中継器は、データリンク、例えば、データバス１２３を介してベースバンドモジュール１２０に接続されたプロセッサー１３０も有し、また、アナログ直列接続が可能なアナログ制御結線１２２も有する。上記ベースバンドモジュール１２０は、簡略化された形態で図示されており、その詳細は後で説明する。上記中継器において、いかなる自動的な利得制御（ＡＧＯ）および局部発振器の不安定性は１μｓ以内に安定化されなければならない。１００ＫＨｚの帯域幅のループを想定するとして、もし局部発振器が１００ＫＨｚすなわち１ループの帯域幅で引き込まれるならば、局部発振器をロックするのに１０μｓが必要である。１０μｓは、安定化のための必要条件である１μｓを超えているので、ループの帯域幅を拡げるか、または、引き込みの程度を制限するかによって１０μｓから減らさなければならない。しかしながら、帯域幅を有効に拡げるためには、より複雑なフェーズロックループ（ＰＬＬ）回路が必要である。従って、有用な解決方法は、引き込みを１ＫＨｚ以下にすること、すなわち、２８０２ＭＨｚの局部発振周波数を基準にすれば、引き込みを１ＫＨｚ／２８０２ＭＨｚ＝０．３５６ｐｐｍ以下とすることである。
【００１２】
上記中継器は、送信信号のアイソレーションを実現するための基準発振器バンドパスフィルター、送信チャネルを選択するためのチャネル選択スイッチ、広域フィルター、低域フィルター等の種々の構成部品を有することができる。アプリケーション・スペシフィック集積回路（ＡＳＩＣ）において別個に実現されることができる無線周波数モジュール１１０は、送信スイッチを介して二つの送信アンテナの一つへ送信することができる。送信信号は、ＴＸ＿Ａ、ＴＸ＿Ｂのような送信チャネルの中の一つをチャネル選択スイッチで選択することができ、またパワー増幅器（ＰＡ）へ入力することができ、続いてパワー検出器に入力される。パワーを注意深く制御するためには、パワー調整を行うことができる。
【００１３】
検出を行っている間、ＡチャネルおよびＢチャネルは共に、複数のＦＥＴミキサー、ＬＮＡ、および、表面音響（ＳＡＷ）フィルター、スプリッター、ログ増幅器等を含むダウンコンバータＬＮＡを介して信号を送信するように形成される。もし存在するならば、デジタル信号をＡチャネルおよびＢチャネルから引き出すことができ、また、詳細に後記するように、デジタル復調器へ入力することができる。また、このデジタル信号は、ビーコンパケット、制御パケット等を介してネットワーク制御等を行うのに用いられる。
【００１４】
下記のように、チューニング可能周波数シンセサイザーを介してアップコンバートおよびダウンコンバートを行う事ができる。チューニング可能シンセサイザーからの、またはチューニング可能局部発振器(ＬＯ)から出力された周波数は、バッファを介してダウンコンバート用またはアップコンバート用のミキサーへ出力することができるか、または、直接に接続することができる。バッファが用いられる場合は、バッファはスイッチできるか、または、常にオンできる。しかしながら、実施態様において、後述するように、スイッチングによる過渡現象の悪影響を低減するために、上記バッファを常時使用可能としておくべきである。
【００１５】
デジタル信号もまたデジタル変調器回路によって変調することができ、一連のスイッチを介して送信ストリームへ出力することができる。上記デジタル変調器回路は、I&Qデータをフィルタリングするための３次のバターワ―ス(Butterworth)タイプのローパスフィルター、I&Qデータとチャネル周波数に対応するクロック周波数とを混合するためのミキサー、可変利得制御機能等を有することができる。スイッチをセットする事によって、変調器の出力を禁止することができる。検出側では、送信チャネルとは逆側のチャネルはオフすることができ、それによって送信された信号からの高いアイソレーションを実現することができる。周波数の変換は、アップコンバートに用いられた局部発振器をダウンコンバートに用いられた局部発振器とは逆側にセットすることによって達成することができる。
【００１６】
デジタル復調器およびデジタル変調器は、当業者なら容易に理解できるように、ビーコン、プローブ応答、ＸＯＳパケットを受信および送信するのに用いられる。更に、プロセッサまたはシーケンサは、上記の例示的な中継器の種々の作動モードを制御するのに用いることができる。さらにプロセッサまたはシーケンサは、上記の例示的な受信機が、他の中継器へ、または、実験オペレーションシステム、Ｘｙｌａｎオペレーティングシステム、エクストリーム・ネットワークオペレーションシステム（ＸＯＳ）等のようなネットワーク管理オペレーティングシステムを実行することのできるアクセスポイント（ＡＰ）へデータを送信できるように用いることができる。
【００１７】
図２、３、４は、二つの同調和可能な局部発振器および一つの固定局部発振器を用いた他の局部発振器の構成を示す。これら全ての構成では、少なくとも二つの異なる中間周波数が用いられるが、三つの中間周波数を用いる局部発振器もある。局部発振器とのアイソレーションを行うためにオフセット局部発振器アプローチを用いる構成もあれば、ハイサイド／ローサイドアプローチを用いる構成もある。フェーズノイズは、受信側でのフェーズノイズを犠牲にして送信側のために最適化する事ができる。或いは、フェーズノイズは、送信段階および受信段階におけるフェーズノイズのために最適化する事ができる。構成毎に複雑さの度合いが異なる。
【００１８】
本発明の実施態様に従えば、低スピードのアンテナダイバーシチを有することが望ましい。低スピードのダイバーシチには、初期のシステムのコンフィグレーション時のアンテナの選択および一つのパケット送信から次のパケット送信までアンテナのコンフィグレーションを維持することが含まれる。低スピードのダイバーシチのコンフィグレーションは、一つのアンテナに接続された一つのダウンコンバータを用いて全てのチャネルのビーコンを探索し、その後、逆側のアンテナに接続された他のダウンコンバータを用いて再びビーコンを探索する事によって行われる。全ての例示的構成では、低スピードのアンテナダイバーシチが支持されなければならない。
【００１９】
図２に示されるように、当業者なら容易に理解できるように、局部発振器２１０は無線周波数ＡＳＩＣ、セル、ＡＳＩＣ内のモジュールなどとして実現されるが、これは、ここで説明する他の全ての局部発振器についても同様である。上記局部発振器２１０の利点は、例えばシングルステージアップコンバータを有する比較的単純な構成にある。上記局部発振器２１０の欠点は８０ｄＢのＴＸとＲＸとのアイソレーションが必要であることと、ＲＸフェーズノイズ性能が低く、ＴＸ側では引き込みの可能性があることである。
【００２０】
図３は他の局部発振器回路３１０を示す。上記局部発振器回路３１０の一つの利点は、それが局部発振器のアイソレーションに８０ｄＢを必要としないことである。上記局部発振器回路３１０の欠点は、２−ステージ・アップコンバータが含まれていることによって、複雑さの増加、また、三つの異なる中間周波数が用いられ、三つの異なるＳＡＷフィルターのデザインが必要とされること、ＲＸフェーズノイズ性能が低いこと、更にＴＸ側の引き込みの可能性があること等である。
【００２１】
図４は他の局部発振器回路４１０を示す。上記局部発振器回路４１０の利点は、それが局部発振器のアイソレーションに８０ｄＢを必要としないこと、構造が比較的簡単である事、ＲＸフェーズノイズ性能およびＴＸフェーズノイズ性能が高いことである。上記局部発振器回路４１０の欠点は、２‐ステージのアップコンバートによって複雑さが増加する事、およびＴＸ側の引き込みの可能性が存在する事である。
【００２２】
上記の利点および欠点に鑑みて、局部発振器のアイソレーション、層のノイズ、プル、および複雑さ等の特徴に関して上記局部発振器回路２１０、３１０、４１０の各々を評価するために表２が作成された。
【００２３】
【表２】
2008505513.tif 000004
【００２４】
表２の評価値を検討するとわかるように、すべての測定基準の評価値の総計に基づいて“スコア“を各回路へ割り当てることができる。依って、上記局部発振器回路２１０に関連するスコアは１２、上記局部発振器回路３１０に関連するスコアは１２、上記局部発振器回路４１０に関連するスコアは１５である。それ故に、上記局部発振器回路２１０または３１０は、コストおよび／または性能の交換の引き換えに種々の考慮を満足させるために用いることができるけれども、上記局部発振器回路４１０は最高のスコア−を提供し、効果的な結果をもたらすであろう。５次までの高調波を生成することができる要素を用いる技術において普通に行われるスプール分析を用いて、回路４１０が用いられる時、チャネル内に落ちて受信機を妨害するトーンがないことを確かめることができる。更に、テストを正しく行うために、反対側のチャネルが使用されたときは、本チャネルにおいて、利得が減少し、選択増幅器は使用禁止になり、アクティブな中間周波数アップコンバータも使用禁止になるように、中間周波数回路のチェーンの構成要素を正しく制御することが必要である。
【００２５】
図２を参照して、上記局部発振器回路２１０は、２４１２ＭＨｚでチャネル１から２４７２ＭＨｚでチャネル１３への中継を容易にするように構成する事ができる。それ故に、上記チャネル１およびチャネル１３からの夫々の入力信号２１１および２１２は、無線周波数モジュール、例えば、無線周波数モジュール１１０によって受信することができる。上記入力信号２１１および２１２は、上記局部発振器から引き出されたサイドバンド信号と混合するためのミキサー２１３、２１４へ入力することができる。本例では、上記入力信号２１１は受信のために指定される。よって、上記入力信号２１１は、ダウンコンバートのために１９５０ＭＨｚの信号とミキサー２１３において混合される。ダウンコンバート信号は、シングルサイドバンド（ＳＳＢ）ミキサーの上方のサイドバンド部２２９において１８１８ＭＨｚから２０１０ＭＨｚまでチューニング可能な局部発振器１  ２２０から発生した１８１８ＭＨｚの信号と混合する事によって生成された後に、選択的に使用可能にされたバッファ２３１から出力される。チャネル１３がダウンコンバートのために選択された時は、１８７８ＭＨｚのダウンコンバート信号は、シングルサイドバンド（ＳＳＢ）ミキサーの下方のサイドバンド部２３０において１８１８ＭＨｚから２０１０ＭＨｚまでチューニング可能な局部発振器２  ２２２から発生した２０１０ＭＨｚの信号と混合する事によって生成された後に、選択的に使用可能にされた（本例では、使用不可能にされた）バッファ２３２から出力される。
【００２６】
信号２１１は、ダウンコンバートされた後、ビーコン復調器２１５に送られ、そこで、２６４ＭＨｚのデジタルクロックレートによって、任意のビーコン信号、パケット等が、信号２１１から引き出される。このデジタル復調器は、上述した通り、あるデジタル復調器およびあるシーケンサーに関連するプロセッサー、シーケンサー、コントローラー等と接続される。送信側では、ビーコン変調器２１７を用いて、ネットワーク制御情報または信号送信情報とアウトバウンド信号とを混合することができる。変調器２１７を駆動するために、分周器２２３、２２４、２２５において１０５６ＭＨｚの固定局部発振器２２１を分周することによって１３２ＭＨｚ信号が生成される。上記１３２ＭＨｚ信号は、分周器２２６を用いて更に分周することができ、６６ＭＨｚ信号を生成し、上記６６ＭＨｚ信号は、使用可能な時に、ミキサー２２７でバッファ２２８から出力された５２８ＭＨｚ信号と混合され、４２６ＭＨｚ信号を生成する。上記変調出力信号は、上記ビーコン変調器３１７が、通常時はビーコン変調器２１７が回路から外れるように構成されたスイッチ２１６において信号経路へ挿入することができる。
【００２７】
ダウンコンバートされた信号は出力ミキサー２１７と接続することができ、チップから離されて配置されたＧａＡｓスイッチ２０１を用いてチャネル１３にスイッチすることができる。ミキサー２１７は局部発振器２２２２によって２０１０ＭＨｚにおいて生成されたアップコンバート信号を供給することができるバッファ２１３に接続することができる。中継がチャネル１３からチャネル１へ行われる場合、局部発振器２  ２２２で生成された２０１０ＭＨｚ信号と、固定局部発振器２２１から生成された１０５６ＭＨｚ信号を分周する分周器２２３、２２４、２２５を用いて生成された１３２ＭＨｚ信号とを混合することによって、バッファ２３２で生成された１８７８ＭＨｚ信号を用いてチャネル１３の信号２１２をミキサー２１４でダウンコンバートすることができる。ダウンコンバートされた信号は、上述の通り任意の変調されたシグナリングデータを取り出すためのビーコン復調器２１５へ入力することができる。上記ダウンコンバートされた信号はまたミキサー２１８へ入力され、局部発振器１  ２２０で生成されると共に使用可能時にバッファ２１３から出力された１８１８ＭＨｚ信号を用いてアップコンバートすることができる。その後、この信号はスイッチ２０１が図示の位置とは反対の位置にある時に、チャネル１で中継することができる。局部発振器２１０は、上記したように、最も簡単な構造を有するが、表２に示した領域における性能を犠牲にする。
【００２８】
図３を参照して、上記したように、局部発振器３１０は、２４１２ＭＨｚにおいてチャネル１から２４７２ＭＨｚにおいてチャネル１３への中継を容易にするように構成することができる。それ故に、チャネル１、１３から夫々、入力された信号２１１、２１２は無線周波数モジュール、例えば、無線周波数モジュール１１０から夫々、受信することができる。入力信号２１１、２１２は、局部発振器から引き出されたサイドバンド信号と夫々、混合するためのミキサー２１３、３１４へ入力することができる。本例では、上記入力信号２１１は受信用に指定されており、上記ミキサー２１３で、上記したように１９５０ＭＨｚダウンコンバート信号と混合される。上記１９５０ＭＨｚダウンコンバート信号は、シングルサイドバンド（ＳＳＢ）ミキサーの上部サイドバンド部３２９において１６８６ＭＨｚから１７４６ＭＨｚまでとチューニング可能な局部発振器１３２０から生成された１６８６ＭＨｚ信号と混合された後に、選択的に使用可能にされたバッファ２３１から出力される。
【００２９】
ダウンコンバートされると、信号２１１はビーコン復調器２１５へ送信され、そこで、ビーコン信号、パケット等は、分周器２２３、２２４で１０５６ＭＨｚの固定局部発振器２２１の信号を分周することによって生成された２４６ＭＨｚデジタルクロックレートを用いて入力信号２１１から引き出される。送信側では、ネットワーク制御情報または信号送信情報は、ビーコン変調器３１７を用いてアウトバウンド信号と混合される。上記変調器３１７を駆動するために、１３２ＭＨｚ信号は、上記したように分周器２２３、２２４、２２５で分周されることで得られ、分周器２２６を用いて更に分周され、６６ＭＨｚ信号が生成され、この６６ＭＨｚ信号は、使用可能なときにバッファ２２８から出力された５２８ＭＨｚ信号とミキサー３２７において混合され５９４ＭＨｚ信号が生成される。上記変調出力信号は、上記ビーコン変調器３１７が、通常時は普通はビーコン変調時３１７が回路から外れるように構成されたスイッチ３１６において信号経路へ挿入することができる。
【００３０】
上記ダウンコンバートされた信号は中間ミキサー３３３および出力ミキサー２１７に接続することができ、スイッチ２０１を用いる事によってチャネル１３にスイッチすることができる。上記ミキサー３３３は、１３２ＭＨｚの信号と４６２ＭＨｚの信号とを混合し、５９４ＭＨｚの中間信号を生成する。この信号は上記ミキサー２１７に接続される。上記ミキサー２１７は、局部発振器２  ３２２によって１８７８ＭＨｚで生成されたアップコンバート信号を供給することができるバッファ２１３に接続することができる。中継がチャネル１３からチャネル１へ行われる場合、１８１８ＭＨｚから１８７８ＭＨｚまでチューニング可能な局部発振器２  ３２２から生成された１８７８ＭＨｚ信号と１３２ＭＨｚ信号とをシングルサイドバンド（ＳＳＢ）ミキサーの下部サイドバンド部３３０において混合することで生成されたバッファ２３１からの２０１０ＭＨｚ信号を用いて、チャネル１３の信号２１２をミキサー２１４でダウンコンバートすることができる。チャネル１３からの信号２１２がダウンコンバートに用いられる時は、ダウンコンバートされた信号は７２６ＭＨｚ中間信号を出力する中間ミキサー３３４に接続される。上記ダウンコンバートされた信号は次にミキサー２１８へ入力され、局部発振器１  ３２０で生成され使用可能な時にバッファ２１３から出力される１６８６ＭＨｚ信号を用いてアップコンバートすることができる。その後、この信号はスイッチ２０１が図示の位置から反対の位置にある時にチャネル１で中継することができる。上記局部発振器回路３１０は優れたアイソレーションを行うものの、さらに複雑な回路構成を備えても良い。例えば、中間ミキサー３３３および３３４を追加しても良い。
【００３１】
本発明の他の実施態様によれば、引き込みについての性能は少し低下するが、図４に示された局部発振器４１０は表２に示されたすべての領域において優れた性能を発揮する。上記局部発振器４１０によって１つのチャネルを使用可能にし、他のチャネルを使用不可能にすることなしに中継が行われるように要素が構成される解決策が提供される。例えば、２４１２ＭＨｚのチャネル１についての入力信号４１１は、１８１８ＭＨｚと１８７８ＭＨｚ信号との間でチューニング可能な局部発振器１  ４４１からの信号とミキサー４１３において混合される。上記局部発振器１  ４４１からの１８１８ＭＨｚ信号はアップコンバートミキサー４２７とも接続される。２４７２ＭＨｚのチャネル１３についての入力信号は２７４２ＭＨｚと２８０２ＭＨｚとの間においてチューニング可能である局部発振器２  ４４２からの２８０２ＭＨｚの信号とミキサー４１４において混合できる。局部発振器２  ４４２からの２８０２ＭＨｚ信号はまたアップコンバートミキサー４２６と接続される。上記局部発振器３１０および４１０とは異なり、上記局部発振器４１０はアップコンバート回路およびダウンコンバート回路においてバッファを備えていないので回路構造の複雑さは減少する。上記ミキサー４１３、４１４から出力されたダウンコンバートされた信号はビーコン複調器４１５へ入力される。このビーコン複調器４１５は、固定局部発振器４４０で９２４ＭＨＺで生成され分周器４１７によって分周された２６４ＭＨｚ信号を用いて駆動され得る。上記ビーコン複調器４１５は上記したように、例えば、信号４１１、４１２に存在することができる信号送信情報を復調する。ダウンコンバートされた信号４１１、４１２は現在は夫々５９４ＭＨｚおよび３３０ＭＨｚの中間周波数であり、中間ミキサー４２０、４１９へ夫々、入力することができ、固定局部発振器４４０からの９２４ＭＨｚ信号と混合される。
【００３２】
上記中間ミキサー４１９、４２０で行われる混合によって夫々のチャネルで周波数を変換する効果がもたらされる。即ち、チャネル１３からの３３０ＭＨｚのダウンコンバート信号は５９４ＭＨｚの信号に変換され、チャネル１からの５９４ＭＨｚのダウンコンバート信号は信号３３０ＭＨｚに変換される。上記中間ミキサー４１９、４２０からの変換された中間信号はアップコンバートのためにミキサー４２７，４２６と接続され得る。上記ミキサー４２７は局部発振器１  ４４１からの１８１８ＭＨｚ信号および上記中間ミキサー４１９からの５９４ＭＨｚ信号（チャネル１３に由来する）とを混合し、上記チャネル１用の２４１２ＭＨｚ信号を生成する。上記ミキサー４２６は局部発振器２４４２からの２８０２ＭＨｚ信号および上記中間ミキサー４２０からの３３０ＭＨｚ信号（チャネル１に由来する）とを混合し、上記チャネル１３用の２４７２ＭＨｚ信号を生成する。上記ミキサー４２７，４２６からの信号はバッファ４２９、４２８を介して出力選択スイッチ４３０へ出力することができる。図中では、この出力選択スイッチ４３０は、チャネル１３の周波数２４７２ＭＨｚで中継するための配置になっている。この中継器は両方のチャネルで検出、ダウンコンバート、およびアップコンバートを行い、さらに上述の通り出力選択スイッチ４３０によって最終の出力選択がなされるように構成されているので、上記局部発振器４１０は中継器のチャネルの迅速な変更を容易にする。
【００３３】
上記局部発振器回路４１０と関連する一つの重要な利点は、上記局部発振器１  ４４１、２  ４４２を同じ基準クロックにロックする事に基づいた、中継信号の周波数エラーのかなりの減少である。例えば、上記局部発振器４１０において、いかなる信号経路においても中継信号は、“ハイサイド、ハイサイド、ローサイド”  または  “ローサイド、ハイサイド、ハイサイド”と構成された三つのミキサーと出会う。“ハイサイド”は、局部発振器の混合周波数が信号経路の周波数より高いことを意味する。各ハイサイドでのミックスによってスペクトルの反転が生じるので、一つのハイサイドでのミックスによって引き起こされたスペクトルの反転を正すために、各信号経路において二つのハイサイドでのミックスが必要である。二つのハイサイドのミキサー間でのオフセットは、ｐｐｍおよび局部発振器の周波数におけるエラー要因に従って取り消される。
【００３４】
例えば、１５ｐｐｍのドリフト定格を有するリファレンスにおいて“ハイサイド、ハイサイド、ローサイド”の場合に１０ｐｐｍだけ高くドリフトしたと仮定する。無線周波数‐２４１２ＧＨｚを有する信号が、ハイサイドの局部発振信号が通常は３００６ＭＨｚであるが今回は３００６．０３００６０ＭＨｚへすなわち１０ｐｐｍドリフトしたミキサーへ入力された場合、周波数が３００６．０３００６０ＭＨｚ−２４１２ＧＨｚ＝５９４．０３００６０ＭＨｚの中間周波数信号となる。普通は５９４ＭＨｚであるので、この中間周波数信号の周波数は高すぎる。次に、この周波数の高い中間周波数信号が、ハイサイドの局部発振信号が通常は１０５６ＭＨｚであるが今回は１０５６．０１０５６０ＭＨｚへ高くドリフトした別のミキサーへ入力された場合、周波数が１０５６．０１０５６ＭＨｚ−５９４．０３００６０ＭＨｚ＝４６１．９８０５００ＭＨｚの中間周波数信号となる。普通は４６２ＭＨｚであるので、この中間周波数信号の周波数は低すぎる。その後、この中間周波数信号は、ローサイドの局部発振信号が通常は２０００ＭＨｚであるが今回は２０００．０２００００ＭＨｚへドリフトした他のアップコンバートミキサーへ入力された場合、周波数が２０００．０２００００ＭＨｚ＋４６１．９８０５００ＭＨｚ＝２４６２．０００５００ＭＨｚの信号となる。普通、アップコンバートされた信号は２４６２ＭＨｚであるので、この信号の周波数は高い。結果として生じるＴＸエラーのトータルは、このリファレンスにおいて元々起こる１０ｐｐｍのシフトより少ない５００Ｈｚ／２４６２ＭＨｚ＝０．２０２ｐｐｍである。
【００３５】
他の例を挙げれば、１５ｐｐｍのドリフト定格を有するリファレンスが“ローサイド、ハイサイド、ハイサイド”の場合に１０ｐｐｍだけ高くドリフトしたと仮定する。無線周波数‐２４６２ＧＨｚを有する信号が、ローサイドの局部発振信号が普通は２０００ＭＨｚであるが今回は２０００．０２００００ＭＨｚへドリフトしたミキサーへ入力された場合、周波数が２４６２ＭＨｚ−２０００．０２００００ＭＨｚ＝４６１．９８００００ＭＨｚの中間周波数信号となる。普通は４６２ＭＨｚであるので、この中間周波数信号の周波数は低すぎる。次に、この中間周波数信号が、ハイサイドの局部発振信号が普通は１０５６ＭＨｚであるが今回は１０５６．０１０５６０ＭＨｚへドリフトした他のミキサーへ入力された場合、周波数が１０５６．０１０５６０ＭＨｚ−４６１．９８００００ＭＨｚ＝５９４．０３０５６０ＭＨｚの中間周波数信号となる。普通は５９４ＭＨｚであるので、この中間周波数信号の周波数は高すぎる。その後、この中間周波数信号は、ハイサイドの局部発振信号が普通は３００６ＭＨｚであるが今回は３００６．０３００６０ＭＨｚへドリフトした他のアップコンバートミキサーへ入力された場合、周波数が３００６．０３００６０ＭＨｚ−５９４．０３０５６０ＭＨｚ＝２４１１．９９９５００ＭＨｚの信号となる。普通、アップコンバートされた信号は２４１２ＭＨｚであるので、この信号の周波数は低い。結果として生じるＴＸエラーのトータルは、５００Ｈｚ／２４１２ＭＨｚ＝０．２０７ｐｐｍである。
【００３６】
それゆえ、中継された信号は、上記局部発振器の構成に基づいて、ほとんどゼロに近いエラーに実質的に補正される。二つのハイサイドにおける混合を用いての補正効果として、周波数の精度が絶対的なシステムのＲＦ周波数（例えば２４５０ＭＨｚ）と関連するようなリファレンスを必要とする代わりに、周波数の精度が中継器の入力周波数と出力周波数間の差と関連するようになる。実施態様に従えば、その差は８０２．１１ｂ／ｇシステムに対して１００ＭＨｚより少ない。唯一の懸念すべきエラーは、ビーコン復調器への信号の入力に関連したエラーである。何故なら、信号は、復調器の入力ステージへ接続される前に一回だけダウンコンバートを経るからである。四相位相変調（ＱＰＳＫ）された信号を正しく復調するためには、エラーのマージンとして５０ｐｐｍが必要となるので、１５ｐｐｍ発振器が適切である。直交周波数分割多重（ＯＦＤＭ）検出器がより大きなエラーを許容できるならば、１５ｐｐｍより大きなエラーマージンを有する発振器が使用でき、コストを減らせる。１５ｐｐｍは標準のＷＬＡＮ発振器であるので、特に８０２．１１ｇ標準は２０ｐｐｍ以下のクロックエラーを要求すると点を考慮すれば、１５ｐｐｍ発振器は適切な発振器である。
【００３７】
上記の米国暫定特許出願Ｎｏ．６０／５７６，２９０において行われたテストにおいて、中継器は、１１Ｍｂｐｓにおいて８０２．１１ｂの波形、更に、５４Ｍｂｐｓおよび６Ｍｂｐｓにおいて８０２．１１ｇの波形を受信でき、信号の品質を劣化させ過ぎることなく中継できる。各テストにおいて、ある波形を、その最少の感度でＣＨ１へ、さらに、最高のパワーでＣＨ１１へ、更に、続くテストで、パワーを減少させてＣＨ６へ入力した。その後、正しいＥＶＭが中継されたかどうかについて、中継された波形が調べられた。幅狭のＳＡＷフィルターを用いれば、隣接するチャネルの中継のための送信パワーは更に改善される。依って、この中継器は最少の感度でＣＨ１から信号を容易に受信でき、最高のパワーでＣＨ１１へその信号をＣＨ１１へ中継できる。六つの（５ＭＨｚ）チャネルが、受信機と送信機との間に配置されている限り、中継器は最高のパワーで中継できる。依って、ＣＨ１で受信された信号は最高のパワーでＣＨ８‐ＣＨ１１へ中継できる。ＣＨ６またはＣＨ７へ中継したい時は出力パワーを減少する必要がある。改善されたＳＡＷフィルターを用いれば、隣接するチャネルの中継のための劣化は僅か１‐２ｄＢである。
【００３８】
他の実施態様において、上記の中継器に関連したパラメーターを下記のテーブルに示す。０．３５μＳｉＧｅＢｉＣＭＯＳ過程を用いればＡＳＩＣを構成することができる。上記ＡＳＩＣ内でインピーダンスが大きく異なるので仕様は変わる。
【００３９】
【表３】
2008505513.tif 000005
【００４０】
ローサイドチューニング可能シンセサイザ−（シンセサイザ−１）は下記の表４に従ってセットされる。表４には、国毎で支持された無線周波数、およびロ−サイドチューニング可能なシンセサイザ−とハイサイドチューニング可能なシンセサイザ−に関連した局部発振器周波数とが示されている。すべてのシンセサイザ−に対する基準は２２ＭＨｚ  ＴＯＸＯであり、チューニング可能なシンセサイザ−では１ＭＨｚ比較周波数が使用されている。表５はシンセサイザ−１の特徴を示す。
【００４１】
【表４】
2008505513.tif 000006
【００４２】
【表５】
2008505513.tif 000007
【００４３】
シンセサイザ−２の特徴を下記の表６に示す。
【００４４】
【表６】
2008505513.tif 000008
【００４５】
固定周波数シンセサイザ−の特徴を下記の表７に示す。
【００４６】
【表７】
2008505513.tif 000009
【００４７】
上記したように、当業者であれば、上記の実施例において示された以外の本発明の局部発振器の異なった構成などを決定するために種々の技術を用いる事ができる。実施例においては、更に、チャネル１からチャネル１３への中継またはその逆の中継に集中して説明がなされているが、当業者であれば、上記の実施例は説明的な目的のためであって、他の中継器チャネルの構成も使用可能である。更に、種々の構成要素、例えば、無線周波数モジュール２１０、中継器モジュール２００、および他の要素等を組み合わせて一つの一体化した装置を形成してもよいし、これらを部分的に複数のＡＳＩＣや個々に分離した要素などに実装してもよい。他の要素の変更や要素の連結は、本発明の範囲や精神を逸脱する事なしに当業者によってなされる。
【図面の簡単な説明】
【００４８】
【図１】本発明の周波数変換中継器の構成部材を示す構成図である。
【図２】本発明の局部発振器回路の実施態様を示す詳細な図である。
【図３】本発明の局部発振器回路の他の実施態様を示す詳細な図である。
【図４】本発明の局部発振器回路の更に他の実施態様を示す詳細な図である。
【図１】
2008505513.tif 000010
【図２】
2008505513.tif 000011
【図３】
2008505513.tif 000012
【図４】
2008505513.tif 000013
【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
無線プロトコルに従って動作する周波数変換中継器において、第１周波数チャネルで第１ステーションから送信された信号を第２周波数チャネルで第２ステーションへ中継することを容易にするための局部発振器回路であって、
前記第１周波数チャネルの周波数より低い第１周波数範囲においてチューニング可能な、前記第１周波数チャネルに対応する第１チューニング可能局部発振器と、
前記第２周波数チャネルの周波数より高く且つ前記第１周波数範囲とは異なる第２周波数範囲においてチューニング可能な、前記第２周波数チャネルに対応する第２チューニング可能局部発振器と、
前記第１チューニング可能局部発振器に接続された第１ダウンコンバートミキサーを用いて、前記第１周波数チャネルの前記信号を、第１中間周波数を有する第１中間信号へダウンコンバートすると共に、前記第２チューニング可能局部発振器に接続された第２ダウンコンバートミキサーを用いて、前記第２周波数チャネルの前記信号を、第２中間周波数を有する第２中間信号へダウンコンバートするための第１コンバート回路と、を備えたことを特徴とする局部発振器回路。
【請求項２】
前記第１中間周波数より高い周波数を用いて前記第１中間信号を周波数コンバートすることで、前記第１中間信号を前記第２中間周波数において生成し、且つ、前記第２中間周波数より高い周波数を用いて前記第２中間信号を周波数コンバートすることで、前記第２中間信号を前記第１中間周波数において生成する第２コンバート回路と、
前記第２チューニング可能局部発振器に接続された第１アップコンバートミキサーを用いて、前記第２中間周波数における前記第１中間信号をアップコンバートし、且つ、前記第１チューニング可能局部発振器に接続された第２アップコンバートミキサーを用いて、前記第１中間周波数における前記第２中間信号をアップコンバートする第３コンバート回路と、を更に備え、
前記第２コンバート回路において生成されたスペクトルの反転が、前記第１コンバート回路および前記第３コンバート回路のうち１つによって補正されることで、総スペクトル反転値が除去されるようになっていることを特徴とする請求項１に記載の局部発振器回路。
【請求項３】
前記第１チューニング可能局部発振器および前記第２チューニング可能局部発振器は前記第３コンバート回路および前記第１コンバート回路に直接接続されていることを特徴とする請求項２に記載の局部発振器。
【請求項４】
前記ダウンコンバータおよび固定局部発振器に接続されると共に、前記無線プロトコルに対応する制御信号を復調するように構成されているビーコン複調器回路を更に備えたことを特徴とする請求項１に記載の局部発振器。
請求項１に記載の局部発振器。
【請求項５】
前記無線プロトコルは、時分割二重通信（ＴＤＤ）プロトコルの１つ、８０２．１１ｂプロトコル、８０２．１１ｇプロトコルを含むことを特徴とする請求項１に記載の局部発振器。
【請求項６】
前記第１チューニング可能局部発振器回路、前記第２チューニング可能局部発振器回路、前記第１コンバート回路、前記第２コンバート回路、および前記第３コンバート回路は、集積回路、アプリケーション・スペシフィック集積回路  （ＡＳＩＣ）、およびハイブリッド集積回路のうち1つを備える集積回路として形成されることを特徴とする請求項１に記載の局部発振器。
【請求項７】
前記集積回路は０．３５μシリコン・ゲルマニウム（ＳｉＧｅ）・バイポーラ・コンプリメンタリー酸化金属半導体（ＢｉＣＭＯＳ）集積回路を含むことを特徴とする請求項６に記載の局部発振器。
【請求項８】
前記第１チューニング可能回路および前記第２チューニング可能回路は同じクロック・リファレンスにロックされていることを特徴とする請求項１に記載の局部発振器。
【請求項９】
無線プロトコルに従って動作する周波数変換中継器において、第１周波数チャネルで第１ステーションから送信された信号を第２周波数チャネルで第２ステーションへ中継することを容易にするための中継器回路であって、
前記第１周波数チャネルおよび第２周波数チャネルの一方の前記信号を受信するように、且つ、前記第１周波数チャネルおよび第２周波数チャネルの他方で、中継用の前記信号を送信するように構成された無線周波数回路と、
前記無線周波数回路に接続された局部発振器回路とを備え、
前記局部発振器回路は、
前記第１周波数チャネルの周波数および第２周波数チャネルの周波数のうち一方の周波数より高い第１周波数範囲においてチューニング可能な、前記第１周波数チャネルに対応する第１チューニング可能局部発振器と、
前記第１周波数チャネルの周波数および第２周波数チャネルの周波数のうち他方の周波数より低い第２周波数範囲においてチューニング可能な、前記第２周波数チャネルに対応する第２チューニング可能局部発振器と、
第１ハイサイドミキサーおよび第１ローサイドミキサーを備えた第１コンバート回路と、を有し、
前記ハイサイドミキサーは前記第１周波数チャネルおよび第２周波数チャネルの一方に対応し、前記第１ローサイドミキサーは前記第１周波数チャネルおよび第２周波数チャネルの他方に対応し、前記第１コンバート回路は前記第１周波数チャネルおよび第２周波数チャネルの前記一方から第１中間信号を生成し、前記第１周波数チャネルおよび第２周波数チャネルの前記他方から第２中間信号を生成することを特徴とする中継器回路。
【請求項１０】
前記第１中間信号に対応する第２ハイサイドミキサーおよび前記第２中間信号に対応する第３ハイサイドミキサーを有する第２コンバート回路と、
第４ハイサイドミキサーおよび第２ローサイドミキサーを有する第３コンバート回路とからなり、
前記第４ハイサイドミキサーは前記第２中間信号に対応し、
前記第２ローサイドミキサーは前記第１中間信号の混合に関連し、
それらによって、補正されたスペクトル反転特性を有する第１出力信号および第２出力信号が生成されることを特徴とする請求項９に記載の中継器回路。
【請求項１１】
前記第１チューニング可能局部発振器は前記第１ハイサイドミキサーおよび前記第４ハイサイドミキサーに直接接続され、前記第２チューニング可能局部発振器は前記第１ローサイドミキサーおよび前記第２ローサイドミキサーに直接接続されていることを特徴とする請求項１０に記載の中継器回路。
【請求項１２】
前記第１チューニング可能局部発振器および前記第２チューニング可能局部発振器は同じリファレンスに基づいて作動することを特徴とする請求項９に記載の中継器回路。
【請求項１３】
前記無線プロトコルが時分割二重通信（ＴＤＤ）プロトコルの１つ、８０２．１１ｂプロトコル、８０２．１１ｇプロトコルを含むことを特徴とする請求項９に記載の中継器回路。
【請求項１４】
前記局部発振器回路は集積回路、アプリケーション・スペシフィック集積回路  （ＡＳＩＣ）、ハイブリッド集積回路の一つを含む集積回路として形成されることを特徴とする請求項９に記載の中継器回路。
【請求項１５】
前記集積回路は０．３５μシリコン・ゲルマニウム（ＳｉＧｅ）・バイポーラ・コンプリメンタリー酸化金属半導体（ＢｉＣＭＯＳ）集積回路であることを特徴とする請求項１４に記載の中継器回路。
【請求項１６】
無線プロトコルに従って動作し、時分割二重通信（ＴＤＤ）方式で、第１周波数チャネルで第１ステーションから送信された第１の信号を第２周波数チャネルで第２ステーションへ中継することを容易にすると共に、前記第２周波数チャネルで前記第２ステーションから送信された第２の信号を前記第１周波数チャネルで前記第１ステーションへ中継するための非再生型の周波数変換中継器であって、
前記第１周波数チャネルに対応する第１チューニング可能局部発振器および前記第２周波数チャネルに対応する第２チューニング可能局部発振器を有する局部発振器回路と、
第１チューニング可能局部発振器および第２チューニング可能局部発振器に接続され、第１中間信号および第２中間信号を生成するダウンコンバート回路と、
前記第１中間信号から生成された、第１アップコンバート後中間信号に対応する第３ミキサーと、前記第２中間信号から生成された、第２アップコンバート後中間信号に関連した第４ミキサーとを有するアップコンバート回路と、を備え、
前記第１チューニング可能局部発振器は前記ダウンコンバート回路に対応する第１ミキサーに接続され、前記第２チューニング可能局部発振器は前記ダウンコンバート回路に対応する第２ミキサーに接続されることを特徴とする周波数変換中継器。
【請求項１７】
第５ミキサーおよび第６ミキサーを有する中間コンバート回路を更に備え、前記第５ミキサーは前記第１アップコンバート後中間信号に対応し、前記第６ミキサーは前記第２アップコンバート後中間信号に対応することを特徴とする請求項１６に記載の周波数変換中継器。
【請求項１８】
前記第１チューニング可能局部発振器および前記第２チューニング可能局部発振器は前記ダウンコンバート回路に直接接続されていることを特徴とする請求項１６に記載の周波数変換中継器。
【請求項１９】
固定局部発信機と、
前記ダウンコンバータおよび前記固定局部発振器に接続され、前記無線プロトコルに関連した制御信号を復調するように構成されたビーコン複調器回路と、を更に備えたことを特徴とする請求項１６に記載の周波数変換中継器。
【請求項２０】
前記無線プロトコルが８０２．１１ｂプロトコル、８０２．１１ｇプロトコルを含むことを特徴とする請求項１６に記載の中継器回路。
【請求項２１】
無線プロトコルに従って動作する周波数変換中継器において、第１周波数チャネルで第１ステーションから送信された信号を第２周波数チャネルで第２ステーションへ中継することを容易にするための非再生型の中継器であって、
前記第１周波数チャネルに対応する第１チューニング可能局部発振器および前記第２周波数チャネルに対応する第２チューニング可能局部発振器を有する局部発振器回路と、
第１チューニング可能局部発振器および第２チューニング可能局部発振器に接続され、第１中間信号および第２中間信号を生成するダウンコンバート回路と、
前記第１中間信号から生成された、第１アップコンバート後中間信号に対応する第３ミキサーと、前記第２中間信号から生成された、第２アップコンバート後中間信号に関連した第４ミキサーとを有するアップコンバート回路と、
前記第１アップコンバート後中間信号に対応する第５ミキサーおよび前記第２アップコンバート後中間信号に対応する第６ミキサーを有する中間コンバート回路と、を備え、
前記第１チューニング可能局部発振器は前記ダウンコンバート回路に対応する第１ミキサーに接続され、前記第２チューニング可能局部発振器は前記ダウンコンバート回路に対応する第２ミキサーに接続されることを特徴とする周波数変換中継器。
【手続補正２】
【補正対象書類名】明細書
【補正対象項目名】００３１
【補正方法】変更
【補正の内容】
【００３１】
本発明の他の実施態様によれば、引き込みについての性能は少し低下するが、図４に示された局部発振器４１０は表２に示されたすべての領域において優れた性能を発揮する。上記局部発振器４１０によって１つのチャネルを使用可能にし、他のチャネルを使用不可能にすることなしに中継が行われるように要素が構成される解決策が提供される。例えば、２４１２ＭＨｚのチャネル１についての入力信号４１１は、１８１８ＭＨｚと１８７８ＭＨｚ信号との間でチューニング可能な局部発振器１  ４４１からの信号とミキサー４１３において混合される。上記局部発振器１  ４４１からの１８１８ＭＨｚ信号はアップコンバートミキサー４２７とも接続される。２４７２ＭＨｚのチャネル１３についての入力信号は２７４２ＭＨｚと２８０２ＭＨｚとの間においてチューニング可能である局部発振器２  ４４２からの２８０２ＭＨｚの信号とミキサー４１４において混合できる。局部発振器２  ４４２からの２８０２ＭＨｚ信号はまたアップコンバートミキサー４２６と接続される。上記局部発振器２１０および３１０とは異なり、上記局部発振器４１０はアップコンバート回路およびダウンコンバート回路においてバッファを備えていないので回路構造の複雑さは減少する。上記ミキサー４１３、４１４から出力されたダウンコンバートされた信号はビーコン複調器４１５へ入力される。このビーコン複調器４１５は、固定局部発振器４４０で９２４ＭＨＺで生成され分周器４１７によって分周された２６４ＭＨｚ信号を用いて駆動され得る。上記ビーコン複調器４１５は上記したように、例えば、信号４１１、４１２に存在することができる信号送信情報を復調する。ダウンコンバートされた信号４１１、４１２は現在は夫々５９４ＭＨｚおよび３３０ＭＨｚの中間周波数であり、中間ミキサー４２０、４１９へ夫々、入力することができ、固定局部発振器４４０からの９２４ＭＨｚ信号と混合される。
【国際調査報告】
2008505513.tif 000014
2008505513.tif 000015